(57)【要約】【課題】  ケーブルを直接振れ止め材に固定でき、且つ、ケーブルの位置がずれても振れ止め材によって傷がついたりすることないケーブル固定具の提供する。【解決手段】  振れ止め材に取り付けるための取付部１１と、該取付部１１により振れ止め材Ｆに取り付けられた状態で、該振れ止め材Ｆに対して直交する方向に配線されるケーブルＣを保持可能な保持部１２と、前記ケーブルＣが前記振れ止め材Ｆの側壁に接触するのを防止する接触防止部１３とを備えた。【選択図】  図３
2010098833.tif 000002
【特許請求の範囲】
【請求項１】
軽量間仕切り壁内に設置される軽量型鋼材間に架設される断面コ字状の振れ止め材にケーブルを固定するためのケーブル固定具であって、
前記振れ止め材に取り付けるための取付部と、
該取付部により振れ止め材に取り付けられた状態で、該振れ止め材に対して直交する方向に配線されるケーブルを保持可能な保持部と、
前記ケーブルが前記振れ止め材の側壁に接触するのを防止する接触防止部とを備えたことを特徴とするケーブル固定具。
【請求項２】
前記接触防止部は、前記ケーブルと前記振れ止め材の側壁との間に介在する接触防止壁からなり、該接触防止壁は、振れ止め材の側壁から一部が突出して配置されることを特徴とする請求項１記載のケーブル固定具。
【請求項３】
取付部は、両側に接触防止壁を備えたコ字状に形成され、振れ止め材に取り付けることにより、前記接触防止壁が振れ止め材の両側壁に配置されることを特徴とする請求項２記載のケーブル固定具。
【請求項４】
振れ止め材の長さ方向に沿って移動可能に取り付けられる請求項１〜請求項３のいずれか１項に記載のケーブル固定具。
【発明の詳細な説明】
【技術分野】
【０００１】
本発明は、軽量間仕切り壁内に設置される軽量型鋼材間に架設される断面コ字状の振れ止め材にケーブルを固定するためのケーブル固定具に関するものである。
【背景技術】
【０００２】
従来より、軽量間仕切り壁は、間隔をおいて立設された複数の軽量形鋼材を挟むように壁材が立設されて構築されるものである。この軽量間仕切り壁を構築するには、まず、略コ字状をなす長尺状のランナーを、天井と床のそれぞれに該ランナーの開口が互いに対向するように固定し、上下両ランナーの内側に各軽量形鋼材の上下両端部をそれぞれ差し込み、軽量型鋼材間にコ字上の振れ止め材を架設して固定し、次いで、壁材を軽量形鋼材及びランナーにビス等で固定することにより、軽量間仕切り壁が構築される。そして、この軽量間仕切り壁の壁表にコンセント、スイッチ等の配線器具に設置するため、壁裏には配線器具を固定する配線用ボックス及び配線器具に接続されるケーブルが配線されている。
【０００３】
そのケーブルは、壁材を固定する時のビス等で破損することの無い様、軽量型鋼材に固定されず振れ止め材に固定されるのが望ましい。そして、ケーブルを固定するには、ケーブルを直接バインド線で固定したり、特許文献１のように設置される壁材と振れ止め材との間に設置可能な偏平状の管を振れ止め材にバインド線で固定したりしている。
【特許文献１】特開平０７−２１２９３４号公報
【発明の開示】
【発明が解決しようとする課題】
【０００４】
しかしながら、ケーブルを直接バインド線で固定した場合、配線中や配線器具と接続すべく壁材に形成された壁孔からケーブルを引き出す際にケーブルの位置がずれて振れ止め材の端部によりケーブルに傷がついたり、ケーブルの被覆が切断されたりする問題があった。また、特許文献１のように偏平状の管を使用すれば、ケーブルが傷つく問題はないが、管を用意する必要がありコスト高になるとともに、ケーブルを管内に挿通しなければならず、偏平状の管内にケーブルを挿通する作業は手間がかかるという問題があった。
【０００５】
本発明は、ケーブルを直接振れ止め材に固定でき、且つ、ケーブルの位置がずれても振れ止め材によって傷がついたりすることないケーブル固定具の提供を課題とするものである。
【課題を解決するための手段】
【０００６】
上記問題点を解決するために、請求項１に記載の発明は、軽量間仕切り壁内に設置される軽量型鋼材間に架設される断面コ字状の振れ止め材にケーブルを固定するためのケーブル固定具であって、前記振れ止め材に取り付けるための取付部と、該取付部により振れ止め材に取り付けられた状態で、該振れ止め材に対して直交する方向に配線されるケーブルを保持可能な保持部と、前記ケーブルが前記振れ止め材の側壁上端に接触するのを防止する接触防止部とを備えていることを要旨としている。
【０００７】
請求項２に記載の発明は、請求項１に記載のケーブル固定具において、接触防止部は、前記ケーブルと前記振れ止め材の側壁との間に介在する接触防止壁からなり、該接触防止壁は、振れ止め材の側壁上端から一部が突出して配置されることを要旨としている。
【０００８】
請求項３に記載の発明は、請求項２に記載のケーブル固定具において、取付部は、両側に接触防止壁を備えたコ字状に形成され、振れ止め材に取り付けることにより、前記接触防止壁が振れ止め材の両側壁に配置されることを要旨としている。
【発明の効果】
【０００９】
本発明によれば、ケーブルを直接振れ止め材に固定でき、且つ、振れ止め材によってケーブルが傷ついたりすることを防止することができる。
【発明を実施するための最良の形態】
【００１０】
以下、本発明を具体化したケーブル固定具を図１〜図４にしたがって説明する。
まず、軽量間仕切壁Ｗについて説明する。図１に示すように、軽量間仕切壁Ｗは、天井（図示せず）と床（図示せず）に固定される上下一対のランナーＲと、該ランナーＲ間に所定間隔で立設された複数の軽量形鋼材Ｓと、隣り合う軽量型鋼材Ｓを連結すべく複数の軽量型鋼材Ｓを貫通して該軽量型鋼材Ｓに固定される振れ止め材Ｆと、前記軽量形鋼材Ｓ及び前記ランナーＲに固定されることで立設される壁材Ｗａとから構築されている。前記壁材Ｗ１は、一般的に使用される石膏ボードが用いられる。前記ランナーＲは長尺状をなすとともに、ランナーＲの長さ方向に対して直交する断面視がコ字状をなし、長さ方向へ延びる開口を有する。そして、ランナーＲが天井と床それぞれに固定された状態では、両ランナーＲの開口が互いに対向している。
【００１１】
前記軽量形鋼材Ｓは、薄鋼板からなり、軽量形鋼材Ｓの立設方向（長さ方向）に対して直交する方向への平断面視が略Ｃ字状をなすリップ溝型型鋼である。軽量形鋼材Ｓは、立設方向に延びる開口部と、該開口部に相対向する背面板部と、該背面板部を挟む一対の側板部とからなる。また、前記開口部は、前記一対の側板部から延設された相対向する一対のリップ部の間に形成されているとともに、各リップ部は前記背面板部と相対向している。また、前記背面板部には、振れ止め材Ｆを挿通するための貫通孔が長さ方向に所定間隔をおいて複数形成されている。
【００１２】
前記振れ止め材Ｆは、薄鋼板からなり、底壁Ｆ１と底壁Ｆ１両端から立設する側壁Ｆ２とからなり、長さ方向に対して直交する断面視がコ字状に形成されている。そして、軽量型鋼材Ｓに形成された貫通孔に挿通されて、複数の軽量型鋼材Ｓに固定される。一般的には開口が上向きの状態で軽量型鋼材Ｓに固定される。
【００１３】
そして、軽量型鋼材Ｓには、壁表にスイッチ、コンセント等の配線器具を固定するための配線用ボックスＢが固定される。この配線用ボックスＢは、ビス等により直接又はボックス固定具を介して間接的に軽量型鋼材Ｓに取り付けることができる。また、前記配線器具に接続するためのケーブルＣをボックスＢ内に引き込んである。ケーブルＣは軽量型鋼Ｓに壁材Ｗ１を固定する際のビスにより破損しないよう振れ止め材Ｆに固定する。
【００１４】
次に、ケーブルＣを振れ止め材Ｆに固定するためのケーブル固定具１について説明する。図２に示すように、ケーブル固定具１は、合成樹脂により形成されており、振れ止め材Ｆに取付可能な取付部１１と、振れ止め材Ｆに対して直交する方向に配線されるケーブルＣを保持可能な保持部１２とを備えている。
【００１５】
取付部１１は、振れ止め材Ｆの両側壁Ｆ２に当接する接触防止部として接触防止壁１３と、該接触防止壁１３を一端側において連結する連結部１４とを備えて他端側に開口１５を備えたコ字状に形成されており、開口１５から内部に振れ止め材Ｆに取付可能になっている。また、接触防止壁１３の他端側の内面側には振れ止め材Ｆに取り付けた際に、該振れ止め材Ｆに係合して外れるのを防止する係合部１６が形成されている。この係合部１６は、開口１５から内部に向かって傾斜する傾斜面１６ａと振れ止め材に当接して係合する係合面１６ｂとを備えており、振れ止め材Ｆへの取り付けを容易にしているとともに振れ止め材Ｆの長手方向に直交する方向へ外れるのを防止している。また、振れ止め材Ｆの長手方向に移動可能に取り付けられる。
【００１６】
また、保持部１２は接触防止壁１３（取付部１１）からケーブルＣの太さより狭い幅間隔をおいて対峙する挟持板１７を備え、ケーブルＣの挿入口１８が相反する方向を向くよう中央部において仕切る仕切板１９によって接触防止板１３と一体に形成されている。挟持板１７と接触防止壁１３とでケーブルＣを挟持して保持可能になっている。この保持部１２は、内面奥側に湾曲形状の凹部２０を設けている。この凹部２０により、挟持板１７を円滑に撓ませて、挿入口１８からのケーブルＣの挿入をより容易に行えるようになっている。さらに挟持板１７外面には中央部であって仕切板１９と対応する位置に溝部２１を設けている。この溝部２１によって、挟持板１７をより円滑に撓ませることができる。また、挟持板１７及び接触防止壁１３の挿入口１８側には、ケーブルＣの抜け出しを防止する掛止部２２が一体成形されている。この掛止部２２には、挿入口１８側から奥側に向かって傾斜する傾斜面２２ａを備えており、ケーブルＣの挿入を容易にしている。この保持部は、掛止部２２によりケーブルＣが長手方向に直交する方向への移動を防止しているとともにケーブルＣの長手方向には移動可能に保持している。また、保持部１２内面の両端部（挟持板１７と接触防止板１３の両端部）は、角が面取りされており、ケーブルＣが長手方向に移動しても傷がつかないようになっている。この保持部１２は、両接触防止壁１３に形成されており、ケーブルＣを４箇所で保持可能になっている。
【００１７】
次に、振れ止め材Ｆにケーブル固定具１を固定した状態について説明する。図３に示すように、振れ止め材Ｆに対して底壁Ｆ１側から取付部１１の開口１５から挿入する。それにより接触防止壁１３が傾斜面１６ａによって拡開変形し、係合部１６が側壁Ｆ２端面（上端）を超えると接触防止壁１３の原形に復帰し、係合面１６ｂが側壁Ｆ２端面（上端）に係合する。これにより、振れ止め材Ｆにケーブル固定具１を取り付けることができる。振れ止め材Ｆにケーブル固定具１を取り付けた状態においては、ケーブル固定具１は振れ止め材Ｆの長手方向に移動可能になっている。
【００１８】
次いで、ケーブルＣを配線し、挿入口１８から保持部１２に保持させる。ケーブル固定具１は振れ止め材Ｆの長手方向に移動可能に取り付けられており、ケーブル固定具１をケーブルＣの配線経路にあわせて位置を移動させておく。ケーブルＣを挿入口１８から挿入する。それにより、ケーブルＣは接触防止壁１３と挟持板１７に挟持されて保持部１２に保持される。保持部１２に保持されたケーブルＣは掛止部２２により挿入口１８から抜け出ることが無いようになっている。これにより、ケーブルＣを振れ止め材Ｆに固定することができるようになっている。ケーブルＣは長手方向に移動可能に保持されており、配線器具との接続作業時に壁孔から引出し可能になっている。また、ケーブルＣをケーブル固定具１に固定した状態においては、図４に示すように、接触防止壁１３が振れ止め材Ｆの側壁Ｆ２に接触し、保持されるケーブルＣと振れ止め材Ｆとの間に介在する。さらに、接触防止壁１３の一部が振れ止め材Ｆの側壁端面及び底壁から突出して配置される。これにより、ケーブルＣが振れ止め材Ｆに接触することがないようになっている。また、接触防止壁１３と挟持板１７との間にケーブルＣが保持されることにより、接触防止壁１３の外側の変形を防止することができる。そのため、係合部１６と振れ止め材Ｆの側壁端面Ｆ２との係合が解除されることがなく、振れ止め材Ｆからケーブル固定具が外れるのを防止している。
【００１９】
上記実施例によれば、以下のような効果を得ることができる。
（１）ケーブルと振れ止め材との間に介在する接触防止板を備え、振れ止め材の側壁から一部が突出して配置されているため、ケーブルが振れ止め材に接触するのが防止され、それにより、ケーブルが振れ止め材によって破損することがない。
【００２０】
（２）振れ止め材の両側壁側にケーブルの保持部があるため、複数のケーブルを保持することができる。
【００２１】
（３）ケーブル固定具は、振れ止め材の長手方向に移動可能に取り付けられているため、振れ止め材に取り付けてから配線経路にあわせて移動できる。
【００２２】
（４）ケーブルは保持部によって長手方向に移動可能に保持されているため、配線器具との接続作業時に壁孔から引き出すことができる。さらに、ケーブル固定具は取付部によって振れ止め材の長手方向に移動可能に取り付けられているため、ケーブルが長手方向に直交する方向に移動しても、ケーブルとともにケーブル固定具が振れ止め材に沿って移動し、ケーブルが振れ止め材に接触するのを防止でき、ケーブルが破損することがない。
【００２３】
なお、上記実施例は以下のように変更してもよい。
・ケーブル固定具は振れ止め材の下方から取り付けたが、上方から取り付けてもよい。このときは、係合部は底壁に係合する。また、振れ止め材は一般的には開口が上方を向くように取り付けられるが、開口が下方に向けて設置された場合においてもどちらから取り付けてもよい。
【００２４】
・取付部は、コ字状に形成されて振れ止め材の両側壁端部に係合するようになっているが、振れ止め材に取付可能であればどのような形状であってもよく、片側の側壁に取り付けられるものであってもよい。また、取り付けは係合によるものでなくてもよく、接着により取り付けてもよい。
【００２５】
・保持部は、振れ止め材の両側壁側に配置されているが片側に配置されるものであってもよく、また、複数設けられてなくてもよい。
【００２６】
・保持部は、接触防止壁と挟持板との挟持によりケーブルを保持しているが、ケーブルを振れ止め材の長手方向に直交する方向に保持可能であれば、筒状に形成して内部にケーブルを挿通する等、どのような形状であってもよい。このとき、ケーブルを長手方向に移動可能で且つ直交する方向には移動不能に保持するのが望ましい。
【００２７】
・保持部は、ケーブルを長手方向に移動可能に保持しているが、長手方向に移動不能に保持してもよい。
【００２８】
・接触防止壁は、側壁端部及び底壁から一部が突出して配置されているが、側壁端部側のみ突出して配置されてもよい。尚、実施例のように側壁端部及び底壁の両方に突出して配置されるものであると、ケーブル固定具を振れ止め材に対して上方又は下方どちらから取り付けてもケーブルが振れ止め材の側壁端部に接触しないようにできる。
【図面の簡単な説明】
【００２９】
【図１】軽量間仕切壁を示す斜視図
【図２】ケーブル固定具を示す斜視図
【図３】振れ止め材にケーブル固定具を固定した状態を示す斜視図
【図４】振れ止め材にケーブル固定具を固定した状態を示す断面図
【符号の説明】
【００３０】
１  ケーブル固定具
１１  取付部
１２  保持部
１３  接触防止部（接触防止壁）
Ｗ  軽量間仕切壁
Ｓ  軽量型鋼材
Ｆ  振れ止め材
Ｃ  ケーブル
【図１】
2010098833.tif 000003
【図２】
2010098833.tif 000004
【図３】
2010098833.tif 000005
【図４】
2010098833.tif 000006